(57)【要約】【課題】  温浴利用者の要望に応じて任意の場所に移動することや、定期的に所定の場所に巡回移動して温浴希望者の要望に応えるという利便性を有し、また遠赤外線の放射効果を長期間発揮することができる。【解決手段】  牽引手段や搭載手段により移動可能なハウス本体１内には脱衣室１３と温熱室２８が設けてある。温熱室２８の床は、ハウス本体１に搭載した暖房ボイラー２７から循環供給される温水によって加温される遠赤外線式発熱体３０で構成してある。遠赤外線式発熱体３０には、ブラックシリカをバインダーで板状に成形した遠赤外線放射板３６、３７が配設してある。【選択図】  図２
0003104402.tif 000002
【実用新案登録請求の範囲】
【請求項１】
開閉可能な外出入り口を有し、牽引手段又は搭載手段により移動可能に構成されたハウス本体と、該ハウス本体内に画成され、前記外出入り口に連通する脱衣室と、前記ハウス本体内に画成され、開閉可能な内出入り口を介して該脱衣室に連通する温熱室と、該温熱室の床面を構成し、前記ハウス本体に搭載された熱源から循環供給される熱媒によって加温される発熱床体とから構成してなる移動型遠赤外線温熱ハウス。
【請求項２】
前記遠赤外線式発熱床体は、前記ハウス本体の床上側に敷設され、前記熱源から熱媒が循環供給される放熱管と、該放熱管を面状に覆う被覆層と、ブラックシリカ粒体をバインダーで板状に成形し、該被覆層に形成した凹部に嵌合した遠赤外線放射板とから構成してあることを特徴とする請求項１記載の移動型遠赤外線温熱ハウス。
【請求項３】
前記遠赤外線放射板は、温浴者の頭部、肩部、腰部及び足部に対応する位置に配設してあることを特徴とする請求項２記載の移動型遠赤外線温熱ハウス。
【考案の詳細な説明】
【技術分野】
【０００１】
本考案は、新陳代謝を盛んにしてダイエット、肩こり、美肌、ストレス解消等の効果を得ることができる温熱ハウスに関し、特に遠赤外線により新陳代謝を促進することができると共に、温浴希望者の要望に応えて任意の場所に移動することができる移動型遠赤外線温熱ハウスに関する。
【背景技術】
【０００２】
温浴による新陳代謝の促進が健康に良いことからサウナに人気があるが、従来のサウナは建屋内に設けたサウナ室に熱源を設置して蒸気を発生させる加湿式のもの、或は加湿式のサウナ室を温泉に付設した形式のものが利用されている。しかし、加湿式のサウナは室温が高いために利用者の身体的負担、特に心臓への負担が大きいという欠点や、高温多湿に耐える我慢が必要であるために利用が長続きしないという欠点がある。そこで、近年通称岩盤浴と呼ばれている床暖式の低温サウナに人気がある。
【０００３】
岩盤浴は床下に配設した温水管に暖房用ボイラーから温水を循環供給して床面を約４２〜４４℃に加温することにより温浴する方法であり、身体を高温に晒さないので身体に対する負担も小さいことから、女子や高齢者も安心して利用できる利点がある。そして、この岩盤浴に、遠赤外線を併用することが注目されている。波長が４〜１０００ミクロンの遠赤外線は人体に有効に作用し、特に８〜１４ミクロンの波長は人体に深く浸透することから身体を内部から暖める効果があるとされている。そして、特許文献１に示すように遠赤外線を利用したサウナが従来から知られているし、遠赤外線を放射するブラックシリカ（学術名グラファイトシリカ）を粒状にして、枕やマットレスの中に適量混入させた方法で使用することも行われている。
【特許文献１】実公平１−３７６３３号公報
【考案の開示】
【考案が解決しようとする課題】
【０００４】
上述した従来技術において、岩盤浴の施設は加湿式サウナと同様に建屋内に設置してあるため、利用者は施設の場所まで通わなければならないという不便がある。このため、高齢者には大きな負担であるし、寒冷地では冬の利用を控えてしまうことも多く、利用者の利便性に応えたものではなかった。また、ブラックシリカは硬度性が低いことから、枕やマットレスに入れて使用した場合、使用に伴って次第に粉状になってしまい、遠赤外線の効果が薄れてしまうという問題がある。
【０００５】
本考案は、上述した従来技術の欠点に鑑みなされたもので、温浴利用者の要望に応じて任意の場所に移動することや、定期的に所定の場所に巡回移動して温浴希望者の要望に応えるといった利便性に優れている移動型遠赤外線温熱ハウスを提供することを目的とし、またブラックシリカを粒状の状態に保持できるので遠赤外線の放射効果を長期間発揮することができる移動型遠赤外線温熱ハウスを提供することを目的とする。
【課題を解決するための手段】
【０００６】
上述した課題を解決するために構成された本考案の手段は、開閉可能な外出入り口を有し、牽引手段又は搭載手段により移動可能に構成されたハウス本体と、該ハウス本体内に画成され、前記外出入り口に連通する脱衣室と、前記ハウス本体内に画成され、開閉可能な内出入り口を介して該脱衣室に連通する温熱室と、該温熱室の床面を構成し、前記ハウス本体に搭載した熱源から循環供給される熱媒によって加温される遠赤外線式発熱床体とからなる。
【０００７】
そして、前記遠赤外線式発熱床体は、前記ハウス本体の床上側に敷設され、前記熱源から熱媒が循環供給される放熱管と、該放熱管を面状に覆う被覆層と、ブラックシリカ粒体をバインダーで板状に成形し、該被覆層に形成した凹部に嵌合した遠赤外線放射板とから構成するとよい。
【０００８】
そして、前記遠赤外線放射板は、温浴者の頭部、肩部、腰部及び足部に対応する位置に配設するとよい。このように構成することにより、遠赤外線放射板の強度性を保持し、かつブラックシリカ粒体の使用量を節減できる。
【考案の効果】
【０００９】
本考案は上述の如く構成したから、下記の諸効果を奏する。
（１）温熱室を備えたハウス本体は牽引手段又は搭載手段により移動可能に構成したから、温浴希望者の要望に応じて任意の場所に移動して温浴の機会を提供することができるし、定期的に所定の場所に巡回移動して温浴希望者の要望に応えることができる。
（２）温熱室に遠赤外線を放射する遠赤外線式発熱床体を設置したから、温浴者は単なる温浴だけでなく遠赤外線による加温効果を得ることができる。
（３）遠赤外線式発熱床体は、熱源から熱媒が循環供給される放熱管と、被覆層と、ブラックシリカ粒体をバインダーで板状に成形した遠赤外線放射板とから構成したから、温浴者には床体からの低温による加温と遠赤外線放射の効果を働かすことができる。
（４）ブラックシリカ粒体はバインダーによって板状の遠赤外線放射板に成形したから、硬度性が十分でないブラックシリカ粒体が粉状化するのを防止して遠赤外線放射効果を持続させることができる。
（５）遠赤外線放射板は、温浴者の頭部、肩部、腰部及び足部に対応する位置に配設したから、温浴者の体を効率よく加温することができる。しかも、遠赤外線放射板の大きさを抑えることにより強度性を保持することができるし、ブラックシリカ粒体の使用量を節減することができる。
【考案を実施するための最良の形態】
【００１０】
以下、本考案の実施の形態を図面に基づき詳述する。図において、１は自動車による牽引が可能に構成したハウス本体を示す。該ハウス本体１は、長方形の床部２（但し、図示せず。）と、該床部２の四辺から起立した前後、左右の壁部３、４、５、６と、該壁部３、４、５、６の上部に設けた屋根部７とから三角屋根のハウス状に構成してある。そして、前側壁部３にはドア８Ａを有し、屋内外を連通する外出入口８が設けてあり、屋外に位置して該外出入口８には出入り用の階段９が取り外し可能に配置してある。また、各壁部３、４、５、６には適宜の位置に大きさの異なる採光用窓１０、１０、・・・が設けてある。なお、ハウス本体１は床部２、壁部３、４、５、６及び屋根部７の内面には断熱シートと断熱材を付設して室内の温度と湿度が屋外に逃げないようにしてある。
【００１１】
そして、上述したハウス本体１の床部２下には、後部両側に位置して車輪１１、１１、・・が設けてあり（片側のみ図示）、自動車で牽引することにより所望の場所に移動可能になっている。なお、該各車輪１１は、ハウス本体１を設置した状態では、目隠し板１２で覆うようにしてある。
【００１２】
１３は前記外出入口８に連通してハウス本体１内に前側隔壁１４により画成した脱衣室兼休憩室で、該脱衣室兼休憩室１３内には外出入口８側に位置して仕切りパネル１５により上り小部屋１６が画成してある。そして、脱衣室兼休憩室１３にはロッカー１７、収納箱１８及び洗面台１９が設置してあり、小部屋１６には寒冷期に暖房器具２０を設置するようにしてある。
【００１３】
更に、ハウス本体１内の奥には後側隔壁２１が立設してあり、前側隔壁１４との間の区画は脱衣室兼休憩室１３に通じるホール２２、シャワー室２３、トイレ２４及びボイラー室２５に夫々画成してある。そして、該ボイラー室２５には後述する遠赤外線式発熱床体３０に熱媒としての温水を循環供給するための暖房ボイラー２６と、シャワー室２３に温水を供給するための給湯ボイラー２７が設置してある。
【００１４】
２８は後側隔壁２１によりハウス本体１の奥に画成した温熱室を示し、該温熱室２８は後側隔壁２１に設けた引き戸付き内出入口２９を介して前記ホール２２に連通している。温熱室２８の床２８Ａは、ハウス本体１の床部２上に異型鉄筋２８Ａ1 ２８Ａ1 、・・・を組み、コンクリート２８Ａ2 を打設して形成してあり、移動時の振動等によって後述する遠赤外線式発熱床体３０に亀裂等が生じない強度性を持たせてある。
【００１５】
３０は前記温熱室２８の床２８Ａに設けた遠赤外線式発熱床体を示す。３１は該遠赤外線式発熱床体３０を構成し、前記暖房ボイラー２６から連結管３２を介して温水が供給される放熱管で、該放熱管３１は床２８Ａに敷き詰めた断熱シート３３の上に蛇行状に敷設してある。
【００１６】
３４は該放熱管３１を覆うように床２８Ａに敷き詰め、表面を平坦面に形成したコンクリート層からなる被覆層で、該被覆層３４は仕切材３５、３５、・・によって４つに区画してある。そして、各区画毎に被覆層３４には温浴者の頭部、肩、腰及び足が位置する場所に対応して、１列４個の四角形の凹部３４Ａ、３４Ｂ、３４Ｂ、３４Ｂが形成してあり、頭部に位置する凹部３４Ａは他の凹部３４Ｂより縦幅を狭く設定してある。３６は前記凹部３４Ａに、３７、３７、３７は他の凹部３４Ｂに夫々嵌合した遠赤外線放射板を示す。該各遠赤外線放射板３６、３７は、遠赤外線を放射するブラックシリカ粒体を砂とセメントの混合物であるバインダーに混合して板状に成形したものからなっており、被覆層３４に嵌合して配設してあるから、温浴者の荷重に対して割れることのない強度性を持つことができる。
【００１７】
なお、３８、３８は湿度が高くなる部屋に対応してハウス本体１に設置した換気レジスターである。
【００１８】
本実施の形態に係る移動型遠赤外線温熱ハウスは上述の構成からなっており、図示しない自動車で牽引することにより、温浴希望者の要望に応じて任意の場所に移動することができるし、定期的に所定の場所に巡回移動して温浴希望者の要望に応えることも可能である。
【００１９】
次に、温熱ハウスの利用方法について説明する。暖房ボイラー２６から放熱管３１に夏期には約６０℃、冬期には約７０℃の温水を循環供給し、遠赤外線式発熱床体３０の表面温度が約４２℃になるようにする。この温度状態で温熱室２８は温浴するのに好適な温度になるから、利用者はパジャマ等を着衣して遠赤外線式発熱床体３０の適宜の区画の上にバスタオルを敷いて横になる。そして、温浴者は自分の体調等の個人差を考えて適宜の時間、温浴を行う。一例として、腹ばいの姿勢で約１０分間、仰向けの姿勢で約５分間温浴し、休憩室１３で約５分間休憩した後、再度腹ばいの姿勢で約１０分、仰向けの姿勢で約５分間温浴する。
【００２０】
このようにして、温浴者は体の負担にならない程度の時間と複数回の温浴を繰り返すことにより、温熱室２８内が低温でも遠赤外線によって全身と体の内部にかけて温熱効果を長時間保持することができ、体の内部から発汗が促されて新陳代謝が促進される。
【００２１】
なお、本実施の形態ではハウス本体１に車輪１１を設け、牽引手段による移動が可能な移動型の温浴ハウスとして構成したが、クレーンによる吊り上げ用のフックをハウス本体１に設け、トレラー等の搭載手段で運搬して移動する移動型に構成にしてもよい。
【００２２】
また、遠赤外線式発熱床体３０を構成する被覆層３４は、仕切材３５により４つに区画して４人の温浴者が利用できるようにしたが、遠赤外線式発熱床体の面積に応じて７人用、１０人用に区画してもよいものである。
【００２３】
更に、本実施の形態において、遠赤外線式発熱床体３０は４枚の遠赤外線放射板３６、３７を配設して構成したが、温浴者の頭部から足部にかけて１枚の長方形の遠赤外線放射板を配設するようにしてもよい。
【図面の簡単な説明】
【００２４】
【図１】本考案の実施の形態に係る移動型遠赤外線温熱ハウスの正面図である。
【図２】移動型遠赤外線温熱ハウスの内部構造を示す平面図である。
【図３】遠赤外線式発熱床体の構成を示す部分断面斜視図である。
【符号の説明】
【００２５】
１        ハウス本体
８        外出入口
１３      脱衣室
２６      暖房ボイラー（熱源）
２８      温熱室
２９      内出入口
３０      遠赤外線式発熱床体
３１      放熱管
３４      被覆層
３４Ａ    凹部
３６、３７  遠赤外線放射板
【図１】
0003104402.tif 000003
【図２】
0003104402.tif 000004
【図３】
0003104402.tif 000005